(57)【要約】      （修正有）【課題】袋の開口部を広げて野菜等を充填する作業を、人は充填作業だけに専念でき、且つ衛生的に充填作業が容易に行えるような装置を提供する。【解決手段】架台本体に回動する袋押圧体とブロアを取り付けた開口装置の架台本体にフィルム袋を吊設した後、ブロアの稼働により、袋押圧体に設けた吹き出し口及び吹き出し孔から吐出される爆風で、フィルム袋の開口部を広げる開口装置である。【選択図】図１
0003101478.tif 000002
【実用新案登録請求の範囲】
【請求項１】
架台の一端部に袋押圧体を枢着して他端近傍にブロアを取り付け、架台側に回動した袋押圧体と対面する架台の一部に送風口と突起体を設けてブロアと送風口を架台に固定した風洞体で連結し、該袋押圧体の先端部を前下がりの傾斜面として、該袋押圧体の先端部に吹き出し口、その傾斜面に複数の吹き出し孔を設け、ブロアから送風された風が架台本体に取り付けたフィルム袋の開口部へ向けて、該袋押圧体の吹き出し口及び吹き出し孔から吹き出されることを特徴とするフィルム袋の開口装置。
【請求項２】
架台は、架台本体と架台支持体から成り、袋押圧体内側にフィルム袋を押さえる押圧片を、その中央部に、吹き出し口から吹き出される風をフィルム袋の開口部へ収束させる立上片を設けたことを特徴とする請求項１記載のフィルム袋の開口装置。
【考案の詳細な説明】
【技術分野】
【０００１】
この考案は、葱・ナス・トマト・キュウリ・人参等の野菜類を、ポリエチレン、ポリプロピレン等のフィルムで成形されたフィルム袋へ入れる作業において、そのフィルム袋の開口部へ爆風を送り込むことによって開口部を簡単に広げることができるフィルム袋の開口装置に関するものである。
【背景技術】
【０００２】
従来からポリエチレン等のフィルムにより成形されたフィルム袋がよく知られており、フィルム袋の中へ葱・長芋・キュウリ・人参等の野菜等を入れて出荷されている。
フィルム袋は、通常多数の袋が重ねられて保管されており、使用時には一枚毎に両手で袋の開口部を指で挟み込んで広げ、又は、口で息を吹きかけて開口部を広げ、フィルム袋の中へ葱・長芋・キュウリ・人参等の野菜が収納されている。
【０００３】
また、特許文献１で示すように、テーパー状に細くした筒状のスリーブを、固定スリーブと可動スリーブにより構成すると共に該スリーブ内を被包装物の装填空間とし、該スリーブのテーパー状端を開放すると共に該端部から筒状の袋用フィルムを外周に被覆及び引き抜き可能した装置を使用して野菜収穫物を袋詰めして出荷するようにしたものがある。
【特許文献１】実開平３−５６５０６号公報
【考案の開示】
【考案が解決しようとする課題】
【０００４】
しかし、上記従来例で示すように、袋詰めを行うには多数枚重ねられた袋を１枚づつ分離しなければならず、更に、分離された袋の開口部を手作業により広げているので面倒な作業となっており、又、作業者による息や唾等により野菜等の収納物が汚染される恐れがあった。
更に、畳まれた袋の開口部を両手で摘んで広げ、次に片手に持ち替え、もう片手で野菜等の収納物を持って開口部から投入されているので、野菜等の収納作業に時間を要し、人で不足の点から一層の作業能率の向上が求められている。
【０００５】
本考案は、上記した問題点を解決するため、フィルム袋の開口部を広げる装置を用いることにより、野菜類等を容易にフィルム袋内へ収納できるフィルム袋の開口装置を提供するものである。
【課題を解決するための手段】
【０００６】
本考案は上記課題を解決するため、架台の一端部に袋押圧体を枢着して他端近傍にブロアを取り付け、架台側に回動した袋押圧体と対面する架台の一部に送風口と突起体を設けてブロアと送風口を架台に固定した風洞体で連結し、該袋押圧体の先端部が架台側に屈曲する傾斜面に成形して、該袋押圧体の先端部に吹き出し口、その傾斜面に複数の吹き出し孔を設け、ブロアから送風された風が架台本体に取り付けたフィルム袋の開口部へ向けて、該袋押圧体の吹き出し口及び吹き出し孔から吹き出されるフィルム袋の開口装置を特徴とする。
【０００７】
また、架台は、架台本体と架台支持体から成り、袋押圧体の内側にフィルム袋を押さえる押圧片を、その中央部に、吹き出し口から吹き出される風をフィルム袋の開口部へ収束させる立上片を設けたフィルム袋の開口装置を特徴とする。
【考案の効果】
【０００８】
本考案は、開口装置を構成する架台の突起体にフィルム袋の貫通孔を挿通してフィルム袋を吊設した後押圧体で固定し、ブロアから供給される風は、風洞体を通り、押圧体の吹き出し口及び吹き出し孔から吹き出される爆風がフィルム袋の開口部へ収束するように形成されているので、フィルム袋の開口部を容易に開くことができ、更に、野菜等が収納されたフィルム袋はミシン目より簡単に切り離すことができるので、フィルム袋への収納作業を連続して行うことができ、作業効率を向上させることができる。
【０００９】
また、フィルム袋の開口部を開口装置により広げられるので作業者による息や唾等による汚染を防ぐことができ、衛生的な袋詰め作業を行うことができる。
更に、該フィルム袋の開口装置は、シンプルで且つコンパクトな装置から成っているので零細企業および自営農業においても利用することができ、野菜等の収納作業を介助する安価な装置でもある。上記した様に開口部は開口装置により広げられるので充填作業に専念でき、数秒間で充填が完了する。
【考案を実施するための最良の形態】
【００１０】
フィルム袋の開口部を広げて野菜等を収納する作業を衛生的に且つ迅速に行うという目的を、少ない部品によるフィルム袋の開口装置により実現した。
【実施例１】
【００１１】
図１ａは、架台に取り付けたフィルム袋を押さえる袋押圧体を折り曲げた状態の開口装置を示す一実施形態の側面図、図１ｂは、ブロアの運転を制御する電気系統図、図２ａは、フィルム袋を押さえる袋押圧体を折り曲げた状態の開口装置を示す平面図、図２ｂは、架台と袋押圧体とスプリング蝶番を示す側面図、図３ａは、フィルム袋を押さえる袋押圧体を展開した状態の開口装置を示す側面図、図３ｂは、該フィルム袋開口装置に使用されるフィルム袋の平面図、図４は、フィルム袋を押さえる袋押圧体を展開した状態の開口装置を示す平面図である。
【００１２】
本考案のフィルム袋９の開口装置１は、架台２の一端部に枢着された袋押圧体３、架台２に固定されたブロア４、架台２に設けた送風口２３とブロア４を結ぶ風洞体５により形成されている。
【００１３】
架台２は、断面コ字形状の矩形からなる架台本体２１と、架台本体２１の一端部を折曲した架台支持体２２からなり、架台本体２１の他端部側に、ブロア４から送風される風をフィルム袋９の開口部９１へ送り出す送風口２３を、その近傍にはフィルム袋９を吊設する突起体２４が設けられる。
【００１４】
又、送風口２３を設けた側の架台本体２１の一側縁に、架台本体２１上に吊設されるフィルム袋９を押さえる平面凸形状の袋押圧体３が、スプリング蝶番６により回動自在に取り付けられている。
【００１５】
平面凸形状からなる袋押圧体３の内側面には、架台本体２１に取り付けたブロア４から送風された風が、吹き出し口３１より収束された状態でフィルム袋９の開口部９１へ向けて吹き出されるよう、吹き出し口３１と突起体２４を囲むようにして平面コ字形の送風ガイド片３２を、同じく押圧体３の内側両側縁に沿って、吊設されたフィルム袋９を押さえる押圧片３３が設けられる。
【００１６】
更に、平面凸形状からなる袋押圧体３の先端部は、架台側に向けて少し屈曲した傾斜面３４を設け、該傾斜面３４には吊設されたフィルム袋９の開口部９１へ向けて送風する吹き出し孔３５が複数設けられる。この先端部に設けた傾斜面３４は、袋押圧体３の天板に対し１２０°〜１４０°の角度で成形するのが好ましい。
【００１７】
架台本体２１の裏面側に設けたフランジ２５間で架台支持体側の架台本体２１にフィルム袋９へ送風するブロア４を取り付け、架台本体２１の送風口２３と該ブロア４とを連結する風洞体５がフランジ２５間の架台本体２１に固定され、風洞体５の側面にブロア４の運転を制御する安全装置及びスイッチ７等が、その背面には電気コードを巻き付けるフック８が設けられる。
【００１８】
図３ｂに示すように、フィルム袋９は、開口部９１となる一方の側が他方の側よりも短く形成され、長く形成された部分には、架台本体２１に設けた突起体２４に嵌め込む小孔９２を設け、小孔９２と開口部９１との間にフィルム袋を切り取るミシン目９３を、フィルム袋９の底となるコーナー部に水抜き孔９４が設けられている。
【００１９】
本考案の開口装置１を用いてフィルム袋９へ野菜等を充填する作業について説明する。  先ず、架台本体２１に設けた架台支持体２２で開口装置１を起立状態にした後、図３ａに示すように、開口装置１の袋押圧体３を展開してフィルム袋９を載置する面を面一とした後、該開口装置１の架台本体２１に設けた突起体２４をフィルム袋９の小孔９２に挿入することにより、フィルム袋９が架台本体２１に吊設される。
【００２０】
次いで、袋押圧体３をスプリング蝶番６を利用して回動することにより架台本体２１の面上に重ね（図１・２参照）、該袋押圧体３の内側に設けた押圧片３３でフィルム袋１の周辺が押さえられて、架台本体２１にフィルム袋９が固定される。
【００２１】
架台本体２１にフィルム袋９を吊設した後電気系統のスイッチ７を入れてブロア４を稼働することにより、風は、風洞体５から架台本体２１の送風口２３へ送られ、袋押圧体３に設けた吹き出し口３１と、袋押圧体３の傾斜面に複数設けた吹き出し孔３５から吹き出される爆風が吊設されたフィルム袋の開口部を直撃し、送風される吐出力によって開口部が広げられる。
【００２２】
この様にしてフィルム袋の開口部が大きく広げられ、葱・人参等の野菜をフィルム袋の中へ収納し、野菜等が収納されたフィルム袋は、フィルム袋に設けたミシン目より切り離される。フィルム袋の開口装置による作業について、該開口装置を起立状態にして使用する作業について説明したが、開口装置を水平状態にして作業を行ってもよい。
【図面の簡単な説明】
【００２３】
【図１】（ａ）  袋押圧体を折り曲げた開口装置を示す一実施形態の側面図である。        （ｂ）ブロアの運転を制御する電気系統図である。
【図２】（ａ）  袋押圧体を折り曲げた開口装置を示す一実施形態の平面図である。        （ｂ）  架台と袋押圧体とスプリング蝶番を示す側面図である。
【図３】（ａ）  袋押圧体を展開した状態の開口装置を示す側面図である。                （ｂ）  フィルム袋の平面図である。
【図４】袋押圧体を展開した状態の開口装置の平面図である。
【符号の説明】
【００２４】
１      開口装置  
２      架台
２１    架台本体
２２    支持体
２３    送風口
２４    突起体
２５    フランジ
３      袋押圧体
３１    吹き出し口
３２    送風ガイド片
３３    押圧片
３４    傾斜面
３５    吹き出し孔
４      ブロア
５      風洞体
６      スプリング蝶番
７      安全装置及びスイッチ
８      フック
９      フィルム袋
９１    開口部
９２    小孔
９３    ミシン目
９４    水抜き孔
【図１】
0003101478.tif 000003
【図２】
0003101478.tif 000004
【図３】
0003101478.tif 000005
【図４】
0003101478.tif 000006